(57)【特許請求の範囲】
【請求項１】
液状薬剤を収容する収容部と、該収容部内の前記液状薬剤を一部から吸い上げて揮散する板状の揮散体とを備え、該揮散体と当該揮散体下部の前記液状薬剤との間に設けられた仕切部を引き抜いて使用する揮散器であって、
前記揮散体を、その上面の面積より周方向の面積が大きくなる縦置きに配置し、当該揮散体を、厚み方向両面側から板状の支持片の端部で支持して前記仕切部を引き抜いた際に落下可能に構成するとともに、落下時に当該揮散体の厚み方向両面を揮散面として利用可能に構成したことを特徴とする揮散器。
【請求項２】
液状薬剤を収容する収容部と、該収容部内の前記液状薬剤を吸い上げる吸上芯と、該吸上芯と接続された際に当該吸上芯で吸い上げられた前記液状薬剤を揮散する板状の揮散体とを備え、該揮散体と前記吸上芯との間に設けられた仕切部を引き抜いて使用する揮散器において、
前記揮散体を、その上面の面積より周方向の面積が大きくなる縦置きに配置し、当該揮散体を、厚み方向両面側から板状の支持片の端部で支持して前記仕切部を引き抜いた際に前記吸上芯上へ落下可能に構成するとともに、落下時に前記揮散体の下面が前記吸上芯と接触し、当該揮散体の厚み方向両面を揮散面として利用可能に構成したことを特徴とする揮散器。
【請求項３】
前記吸上芯と接触する前記揮散体の前記下面を、前記吸上芯との接触部分へ向かうに従って下方へ突出する突出形状に形成したことを特徴とする請求項２記載の揮散器。
【請求項４】
前記仕切部の引き抜き方向が、前記縦置きに配置された前記揮散体の長さ方向と同方向になるように設定したことを特徴とする請求項１、２又は３記載の揮散器。
【請求項５】
前記仕切部の引き抜き方向が、前記縦置きに配置された前記揮散体の厚み方向と同方向になるように設定したことを特徴とする請求項１から３にいずれか記載の揮散器。
【発明の詳細な説明】
【技術分野】
【０００１】
本発明は、液状薬剤を揮散する揮散器に関する。
【背景技術】
【０００２】
従来、芳香剤等の液状薬剤を揮散する揮散器が知られている（例えば、特許文献１参照。）。
【０００３】
この揮散器は、前記液状薬剤を収容したボトルを備えており、該ボトルの口部には、中栓が装着されている。この中栓の天部には、受け皿が形成されており、該受け皿の中央部は、段差を有した中栓天板により構成されている。該中栓天板には、前記液状薬剤を吸い上げる芯材が挿通しており、該芯材の上端部が当該中栓天板より突出するように構成されている。
【０００４】
この中栓の周縁には、中蓋が接着されており、前記芯材が露出した前記受け皿は、前記中蓋によってシールされている。
【０００５】
前記ボトルの上部には、オーバーキャップが装着されており、該オーバーキャップは、前記中栓を覆うように構成されている。前記オーバーキャップの天面には、揮散孔が設けられており、該天面の内側面には、インナーリングが設けられている。該インナーリングには、フェルト板が保持されており、該フェルト板は、前記中栓に設けられた前記中蓋によって支持されている。
【０００６】
前記オーバーキャップには引き取り孔が設けられており、該引き抜き孔からは、前記中蓋の一部が延出するように構成されている。
【０００７】
これにより、この延出部分を引っ張って前記中蓋を前記中栓から剥離することで、前記フェルト板を前記受け皿に落下して前記芯材と接触させ、該芯材に吸い上げた前記液状薬剤を前記フェルト板に吸い上げて当該フェルト板から揮散できるように構成されている。
【先行技術文献】
【特許文献】
【０００８】
【特許文献１】特開２００７−２７６８３１号公報
【発明の概要】
【発明が解決しようとする課題】
【０００９】
しかしながら、このような従来の揮散器にあっては、液状薬剤の揮散面が受け皿に支持されたフェルトの上面のみで構成される。
【００１０】
このため、揮散量を増大するには、前記フェルト板を大型化する必要があり、これに伴って揮散器が大型化するという問題があった。
【００１１】
本発明は、このような従来の課題に鑑みてなされたものであり、揮散量の増大を図ることができる揮散器を提供することを目的とするものである。
【課題を解決するための手段】
【００１２】
前記課題を解決するために本発明の請求項１の揮散器にあっては、液状薬剤を収容する収容部と、該収容部内の前記液状薬剤を一部から吸い上げて揮散する板状の揮散体とを備え、該揮散体と当該揮散体下部の前記液状薬剤との間に設けられた仕切部を引き抜いて使用する揮散器であって、前記揮散体を、その上面の面積より周方向の面積が大きくなる縦置きに配置し、当該揮散体を、厚み方向両面側から板状の支持片の端部で支持して前記仕切部を引き抜いた際に落下可能に構成するとともに、落下時に当該揮散体の厚み方向両面を揮散面として利用可能に構成した。
【００１３】
すなわち、板状の揮散体は、その上面の面積より周方向の面積が大きくなる縦置きに配置されており、面積が広い厚み方向に位置する両面が側方へ向くように構成されている。
【００１４】
このため、仕切部を引き抜いて前記揮散体を落下させた際には、前記収容部内の前記液状薬剤が吸収され当該揮散体より揮散される。
【００１５】
このとき、前記揮散体は、面積が広い厚み方向両面が側方を向くように配置されており、この両面が揮散面として利用される。
【００１６】
このため、厚み方向片面しか揮散面として利用できなかった従来と比較して、前記液状薬剤の揮散面積の増大が図られる。
【００１７】
また、本発明の請求項２の揮散器にあっては、液状薬剤を収容する収容部と、該収容部内の前記液状薬剤を吸い上げる吸上芯と、該吸上芯と接続された際に当該吸上芯で吸い上げられた前記液状薬剤を揮散する板状の揮散体とを備え、該揮散体と前記吸上芯との間に設けられた仕切部を引き抜いて使用する揮散器において、前記揮散体を、その上面の面積より周方向の面積が大きくなる縦置きに配置し、当該揮散体を、厚み方向両面側から板状の支持片の端部で支持して前記仕切部を引き抜いた際に前記吸上芯上へ落下可能に構成するとともに、落下時に前記揮散体の下面が前記吸上芯と接触し、当該揮散体の厚み方向両面を揮散面として利用可能に構成した。
【００１８】
すなわち、板状の揮散体は、その上面の面積より周方向の面積が大きくなる縦置きに配置されており、面積が広い厚み方向に位置する両面が側方へ向くように構成されている。
【００１９】
このため、仕切部を引き抜いて前記揮散体を落下させた際には、前記揮散体の下面が前記吸上芯と接することで、前記吸上芯で吸い上げられた液状薬剤が前記揮散体に染み込んで当該揮散体より揮散される。
【００２０】
このとき、前記揮散体は、面積が広い厚み方向両面が側方を向くように配置されており、この両面が揮散面として利用される。
【００２１】
このため、厚み方向片面しか揮散面として利用できなかった従来と比較して、前記液状薬剤の揮散面積の増大が図られる。
【００２２】
また、請求項３の揮散器においては、前記吸上芯と接触する前記揮散体の前記下面を、前記吸上芯との接触部分へ向かうに従って下方へ突出する突出形状に形成した。
【００２３】
すなわち、前記揮散体の前記下面は、前記吸上芯との接触部分へ向かうに従って下方へ突出する突出形状に形成されており、前記接触部分が平坦及び後退するように形成された場合と比較して、前記揮散体と前記吸上芯との接触状態が確実に確保される。
【００２４】
さらに、請求項４の揮散器では、前記仕切部の引き抜き方向が、前記縦置きに配置された前記揮散体の長さ方向と同方向になるように設定した。
【００２５】
すなわち、前記仕切部の引き抜き方向は、縦置きに配置された前記揮散体の長さ方向と同方向になるように設定されており、前記仕切部は、前記揮散体の長さ方向へ引き抜かれる。
【００２６】
このため、前記揮散体の倒れやすい厚み方向に前記仕切部が引き抜かれる場合と比較して、特別な傾倒防止構造を設けること無く、不用意な前記揮散体の傾倒が防止される。
【００２７】
加えて、請求項５の揮散器にあっては、前記仕切部の引き抜き方向が、前記縦置きに配置された前記揮散体の厚み方向と同方向になるように設定した。
【００２８】
すなわち、前記仕切部の引き抜き方向は、縦置きに配置された前記揮散体の厚み方向と同方向になるように設定されており、前記仕切部は、前記揮散体の厚み方向へ引き抜かれる。
【００２９】
このため、前記仕切部が折り返されたフィルムで構成された場合、当該フィルムの裏面に前記液状薬剤が付着していた場合であっても、この折り返されたフィルムを引き抜く際に、当該フィルムの裏面に付着した液状薬剤が前記揮散体と接触することで拭き取られる。
【００３０】
これにより、前記フィルムの裏面に前記液状薬剤が付着したまま引き抜かれる場合と比較して、周囲や手の汚れが軽減される。
【発明の効果】
【００３１】
以上説明したように本発明の請求項１の薬剤容器にあっては、液状薬剤を吸収して揮散する板状の揮散体は、その上面の面積より周方向の面積が大きくなる縦置きに配置されており、その面積が広い厚み方向に位置する両面が側方を向くように配置され、この両面を揮散面として利用することができる。
【００３２】
このため、水平に維持された板状の揮散体を水平状態のまま落下させる構造上、その上面しか揮散面として利用することができなかった従来と比較して、前記液状薬剤の揮散面積の増大を図ることができる。
【００３３】
したがって、揮散体の大型化に伴う製品の大型化を図ることなく、揮散量の増大を実現することができる。
【００３４】
また、本発明の請求項２の薬剤容器にあっては、吸上芯で吸い上げた液状薬剤を揮散する板状の揮散体は、その上面の面積より周方向の面積が大きくなる縦置きに配置されており、その面積が広い厚み方向に位置する両面が側方を向くように配置され、この両面を揮散面として利用することができる。
【００３５】
このため、水平に維持された板状の揮散体を水平状態のまま落下させる構造上、その上面しか揮散面として利用することができなかった従来と比較して、前記液状薬剤の揮散面積の増大を図ることができる。
【００３６】
したがって、揮散体の大型化に伴う製品の大型化を図ることなく、揮散量の増大を実現することができる。
【００３７】
さらに、請求項３の揮散器においては、前記揮散体の前記下面が前記吸上芯との接触部分へ向かうに従って下方へ突出する突出形状に形成されている。
【００３８】
このため、前記接触部分が平坦及び後退するように形成された場合と比較して、前記揮散体と前記吸上芯との接触状態を確実に確保することができる。
【００３９】
加えて、請求項４の揮散器では、前記仕切部の引き抜き方向が、前記縦置きに配置された前記揮散体の長さ方向と同方向になるように設定されており、前記仕切部は、前記揮散体の長さ方向へ引き抜かれる。
【００４０】
このため、前記揮散体が倒れやすい厚み方向に前記仕切部が引き抜かれる場合と比較して、特別な傾倒防止構造を設けること無く、不用意な前記揮散体の傾倒を防止することができる。これにより、構造の簡素化を図ることができる。
【００４１】
また、請求項５の揮散器では、前記仕切部の引き抜き方向が、縦置きに配置された前記揮散体の厚み方向と同方向になるように設定されており、前記仕切部は、前記揮散体の厚み方向へ引き抜かれる。
【００４２】
このため、前記仕切部が折り返されたフィルムで構成された場合、当該フィルムの裏面に前記液状薬剤が付着していた場合であっても、この折り返されたフィルムを引き抜く際に、当該フィルムの裏面に付着した液状薬剤が前記揮散体と接触することで拭き取られる。
【００４３】
これにより、前記フィルムの裏面に前記液状薬剤が付着したまま引き抜かれる場合と比較して、周囲や手の汚れを軽減することができる。
【図面の簡単な説明】
【００４４】
【図１】本発明の一実施の形態を示す図である。
【図２】同実施の形態の側面及び底面を示す要部断面図である。
【図３】同実施の形態の要部を示す拡大図である。
【図４】同実施の形態の中蓋部を示す図である。
【発明を実施するための形態】
【００４５】
以下、本発明の一実施の形態を図に従って説明する。
【００４６】
図１は、本実施の形態にかかる揮散器１を示す図であり、該揮散器１は、液状薬剤２を揮散するものである。
【００４７】
この液状薬剤２としては、芳香剤、消臭剤、防虫剤、殺虫剤、忌避剤等が挙げられ、本実施の形態では、前記液状薬剤２が芳香剤で構成された場合を例に挙げて説明する。
【００４８】
この揮散器１は、内側を構成する内側構成部１１と、外側を構成する外側構成部１２とによって構成されている。
【００４９】
前記外側構成部１２は、矩形容器状に形成された紙箱２１によって構成されており、前記内側構成部１１を、当該外側構成部１２内に収容した状態で隠蔽できるように構成されている。該外側構成部１２の天面２２には、複数の長穴が並設されており（図示省略）、これらの長穴によって前記揮散した液状薬剤２を放出する放出部が構成されている。そして、前記外側構成部１２の側面には、引き抜き穴２３が開設されている。
【００５０】
前記内側構成部１１は、図１及び図２にも示すように、前記液状薬剤２が収容された収容部３１と、該収容部３１の上面開口部を閉鎖する中蓋部３２と、前記収容部３１の上部に装着された上カバー３３とを備えている。
【００５１】
前記中蓋部３２は、図３にも示したように、横長の長方形状に形成された板状部材によって構成されており、その周縁部は、上方へ向けて起立した後、側方へ向けて延出した支持片３５が全周に渡って形成されている。
【００５２】
この中蓋部３２は、中央部へ向かうに従って下方へ傾斜するように構成されており、その中央部には、矩形状の挿通穴４１が開設されている。該挿通穴４１の一辺には、円弧状に後退した円弧部４２が形成されており、この挿通穴４１の開口縁部からは、矩形状の筒部４３が下方へ向けて延出している。該筒部４３には、前記収容部３１内の前記液状薬剤２を吸い上げるための四角柱状の吸上芯４４が挿通されており（図１及び図２参照）、当該吸上芯４４は、その上端部が前記挿通穴４１を介して、上方へ突出するように構成されている。
【００５３】
前記収容部３１は、図１及び図２に示したように、横長の長方形状に形成された底面５１と、該底面５１の前縁より起立した前壁面５２と、前記底面５１の後縁より起立した後壁面５３と、前記底面５１の左縁より起立した左壁面５４と、前記底面５１の右縁より起立した右壁面５５とによって矩形容器状に形成されている。前記底面５１には、Ｌ字状の突出部５６，・・・が中心部を包囲するように四ヶ所に形成されており（図２参照）、四角柱状に形成された前記吸上芯４４の下端部を保持できるように構成されている。
【００５４】
前記各壁面５２〜５５の上部には、外側に延出した段部６１が形成されており、該段部６１に前記中蓋部３２周縁の前記支持片３５を載置した状態で、当該中蓋部３２を支持できるように構成されている。この段部６１の外周縁には、上方へ向けて延出した大径部６２が形成されており、該大径部６２の上縁からは、側方に延出したフランジ６３が全周に渡って形成されている。
【００５５】
前記左壁面５４より延出したフランジ６３部分を構成する左フランジ部７１と、前記右壁面５５より延出したフランジ６３部分を構成する右フランジ部７２とには、図４に示すように（左フランジ部７１のみ図示）、側方に延出する外波部７３が中央部に形成されている。各外波部７３は、三つの山形部７４，・・・からなり、各山形部７４，・・・の間には、内側に円弧状に後退した後退部７５，７５が形成されている。
【００５６】
この外波部７３の内側には、内波部８１が形成されており、該内波部８１は、前記フランジ６３に形成された段差部によって構成されている。
【００５７】
すなわち、前記フランジ６３は、外周部を構成する厚肉部９１と、内周部を構成する薄肉部９２とによって構成されており、前記フランジ６３の内周部には、前記厚肉部９１で構成された外周部より一段低い下段部９３が形成されている。該下段部９３は、前記外波部７３の前記山形部７４，・・・に対応する部位が外方へ向けて円弧状に張り出しており、円弧状凹部９４，・・・が形成されている。各円弧状凹部９４，・・・の間には、内側へ向けて突出した三角形状の三角部９５，９５が形成されており、当該三角部９５，９５は、前記下段部９３より高い上段部９６によって形成されている。
【００５８】
このフランジ６３の前記上段部９６には、図１に示したように、シート状の仕切部１０１の周縁が剥離可能に熱溶着されており、該仕切部１０１によって前記収容部３１の上部開口部が閉鎖されている。これにより、前記中蓋部３２より延出する前記吸上芯４４で吸い上げられた前記液状薬剤２が揮散しないように構成されている。
【００５９】
この仕切部１０１は、前記フランジ６３に溶着された仕切部本体１１１と、該仕切部本体１１１の一縁より折り返された折返し部１１２とによって構成されている。
【００６０】
前記仕切部本体１１１は、先端縁が前記収容部３１の前記左フランジ部７１に溶着されており、その側縁が前記前壁面５２より延出したフランジ６３部分を構成する前フランジ部１２１及び前記後壁面５３より延出したフランジ６３部分を構成する後フランジ部１２２に溶着されている。そして、その折返し部分が前記右フランジ部７２に溶着されており、当該仕切部本体１１１で前記収容部３１の上部開口部を閉鎖するように構成されている。
【００６１】
前記右フランジ部７２に溶着された前記仕切部本体１１１からは、前記折返し部１１２が延出しており、該折返し部１１２は、前記仕切部本体１１１上に折り返されるように構成されている。この折返し部１１２は、前記仕切部本体１１１より細長に形成されており、当該折返し部１１２の先端部は、前記収容部３１の前記左フランジ部７１より延出する長さ寸法に設定されている。この延出部分は、前記外側構成部１２の側面に設けられた前記引き抜き穴２３より側方へ延出するように構成されている。
【００６２】
これにより、当該揮散器１を使用する際には、前記外側構成部１２の前記引き抜き穴２３より延出した前記仕切部１０１の前記折返し部１１２を引っ張ることで、前記フランジ６３に溶着された前記仕切部本体１１１を折返し部分側の前記右フランジ部７２から前記左フランジ部７１までの全域に渡って剥離できるように構成されており、剥離された仕切部１０１を前記外側構成部１２の前記引き抜き穴２３から引き抜けるように構成されている。
【００６３】
前記上カバー３３は、下方へ向けて開口した矩形容器状に形成されており、該上カバー３３内には、揮散体２０１が収容されている。
【００６４】
該揮散体２０１は、前記吸上芯４４で吸い上げられた前記液状薬剤２を吸収して揮散するものであり、フェルト等によって長方形板状に形成されている。該揮散体２０１は、その上面の面積より周方向の面積が大きくなる縦置きにした状態で使用されるように構成されており、この縦置き状態において、上縁２０２は、その左右部分が中央へ向かうに従って上方へ突出した円弧状に形成され、当該上縁２０２の中央部は水平に形成されている。また、前記揮散体２０１の下縁２０３は、その左右部分が中央へ向かうに従って下方へ突出した円弧状に形成されており、当該下縁２０３の中央部は水平に形成されている。
【００６５】
これにより、前記揮散体２０１を前記縦置きにした状態で、当該揮散体２０１の上面及び下面は、前記吸上芯４４との接触部分である中央部へ向かうに従って下方へ突出する突出形状に形成されている。
【００６６】
また、この揮散体２０１は、前記収容部３１の左右方向に沿って延在するように配置されている。これにより、当該揮散体２０１の長さ方向Ｌと前記仕切部１０１の引き抜き方向２１１とが同方向になるように設定されている。
【００６７】
前記上カバー３３は、横長の長方形状の天面３０１と、該天面３０１の前縁より下方へ向けて延出した前側面３０２と、前記天面３０１の後縁より下方へ向けて延出した後側面３０３と、前記天面３０１の左縁より下方へ向けて延出した左側面３０４と、前記天面３０１の右縁より下方へ向けて延出した右側面３０５とを備えている。前記各側面３０２〜３０５の下縁には、側方へ向けて延出するカバーフランジ３０６が一体形成されており、該カバーフランジ３０６の周縁からは、外嵌部３０７が下方へ向けて延出している。
【００６８】
これにより、当該上カバー３３を前記収容部３１にセットした際には、前記外嵌部３０７が前記収容部３１の上部に外嵌した状態で、前記カバーフランジ３０６が前記収容部３１の前記フランジ６３に載置された状態で支持されるように構成されている。
【００６９】
前記前側面３０２及び前記後側面３０３の中央部には、上下方向に延在する凹溝３１１，３１１が形成されており、該凹溝３１１，３１１の奥行寸法は、前記カバーフランジ３０６の幅寸法と同寸法に設定されている。
【００７０】
前記前側面３０２及び前記後側面３０３の内側面からは、図２に示しように、中心方向へ向かって延出する板状の支持片３２１，・・・がそれぞれ二箇所に設けられており、両面より延出した支持片３２１，・・・は、対向するように構成されている。対向した支持片３２１，３２１間には、間隙が形成されており、この間隙に前記揮散体２０１を前記縦置きにした状態で落下自在に保持できるように構成されている。
【００７１】
これにより、当該上カバー３３内は、前記各支持片３２１，・・・と前記左側面３０４及び前記右側面３０５とによって前記揮散体２０１が落下自在に保持されており、当該揮散体２０１は、前記中蓋部３２に設けられた前記仕切部１０１によって下方から支持されている。また、この支持状態において、前記揮散体２０１は、前記吸上芯４４の真上に位置決めされるように構成されており、前記仕切部１０１を引き抜いた際には、図１の下図に示すように、前記揮散体２０１が前記吸上芯４４上に落下するとともに、下方へ突出した前記下縁２０３の中央部が前記吸上芯４４と接するように構成されている。
【００７２】
これにより、前記揮散体２０１と前記吸上芯４４とが接続された状態では、該吸上芯４４で吸い上げられた前記液状薬剤２が前記揮散体２０１を介して揮散するように構成されており、その際に、当該揮散体２０１の厚み方向３３１側を構成する前面３３２及び後面３３３の両面が揮散面として利用されるように構成されている。
【００７３】
そして、前記上カバー３３の前記天面３０１には、矩形状の開口部３４１が開設されており、前記揮散体２０１より揮散した液状薬剤２を放出する為の放出口が形成されている。また、前記上カバー３３の前記左側面３０４及び右側面３０５より延出した前記カバーフランジ３０６の部位には、矩形状の切欠部３４２，３４２が形成されており、図２に示したように、前記左側面３０４及び右側面３０５には、Ｍ字状に開口するＭ字状切欠部３４５，３４５が設けられ、揮散した前記液状薬剤２を放出できるように構成されている。
【００７４】
以上の構成にかかる本実施において、この揮散器１を使用する際には、当該揮散器１から仕切部１０１を引き抜いて前記揮散体２０１を吸上芯４４上に落下させる。すると、前記揮散体２０１の下面を構成する下縁２０３が前記吸上芯４４と接触することで、当該吸上芯４４で吸い上げた液状薬剤２が前記揮散体２０１に染み込む。これにより、前記液状薬剤２を、前記揮散体２０１から揮散させることができる。
【００７５】
このとき、板状に形成された揮散体２０１は、その上面の面積より周方向の面積が大きくなる縦置きに配置されている。これにより、面積が広い厚み方向３３１に位置する前面３３２及び後面３３３の両面が側方を向くように配置されており、この両面を揮散面として利用することができる。
【００７６】
このため、水平に維持された板状の揮散体を水平状態のまま落下させる構造上、その上面しか揮散面として利用することができなかった従来と比較して、前記液状薬剤２の揮散面積の増大を図ることができる。
【００７７】
したがって、前記揮散体２０１を大型化に伴う製品の大型化を図ることなく、揮散量の増大を実現することができる。
【００７８】
また、前記仕切部１０１の引き抜き方向２１１は、前記縦置きに配置された前記揮散体２０１の長さ方向Ｌと同方向になるように設定されており、前記仕切部１０１を、前記揮散体２０１の長さ方向Ｌへ引き抜くことができる。
【００７９】
このため、前記縦置きにされた前記揮散体２０１が倒れやすい前記厚み方向３３１に前記仕切部１０１が引き抜かれる場合と比較して、特別な傾倒防止構造を設けること無く、不用意な前記揮散体２０１の傾倒を防止することができる。
【００８０】
これにより、傾倒防止構造の簡素化を図ることができる。
【００８１】
さらに、前記揮散体２０１の下面を構成する下縁２０３は、前記吸上芯４４との接触部分へ向かうに従って下方へ突出する突出形状に形成されている。
【００８２】
このため、前記下縁がが平坦及び後退するように形成された場合と比較して、前記揮散体２０１と前記吸上芯４４との接触状態を確実に確保することができる。
【００８３】
特に、中蓋部３２が、前記吸上芯４４の設けられた中心部へ向かうに従って傾斜した本実施の形態にあっては、前記揮散体２０１の端部と前記中蓋部３２との不用意な干渉を防止できるため特に有効である。
【００８４】
なお、本実施の形態では、前記液状薬剤２を前記吸上芯４４を介して前記揮散体２０１に吸い上げる場合を例に挙げて説明したが、これに限定されるものではなく、吸上芯４４を設けず、前記仕切部１０１を引き抜いた際に、前記揮散体２０１の一部が前記液状薬剤２に直接接するように構成してもよい。
【００８５】
また、前記仕切部１０１の引き抜き方向２１１が、前記縦置きに配置された前記揮散体２０１の長さ方向Ｌと同方向になるように設定した場合を例に挙げて説明したが、これに限定されるものではない。
【００８６】
すなわち、前記仕切部１０１の引き抜き方向２１１を、前記縦置きに配置された前記揮散体２０１の厚み方向３３１と同方向になるように設定しても良い。この場合、前記仕切部１０１を前記揮散体２０１の厚み方向３３１へ引き抜くことができるので、当該仕切部１０１の裏面に前記液状薬剤２が付着していた場合であっても、この折り返された仕切部１０１を引き抜く際に、当該仕切部１０１の裏面に付着した液状薬剤２が前記揮散体２０１と接触することで拭き取られる。
【００８７】
これにより、前記仕切部１０１の裏面に前記液状薬剤２が付着したまま引き抜かれる場合と比較して、周囲や手の汚れを軽減することができる。
【符号の説明】
【００８８】
１    揮散器
２    液状薬剤
３１    収容部
４４    吸上芯
１０１    仕切部
２０１    揮散体
２１１    引き抜き方向
３３１    厚み方向
３３２    前面
３３３    後面
Ｌ    長さ方向
【図１】
0005918979.tif 000002
【図２】
0005918979.tif 000003
【図３】
0005918979.tif 000004
【図４】
0005918979.tif 000005